(57)【要約】【課題】バスバーを収容する第一、第二ケースのロック結合部のガタ付きを防ぐ。【解決手段】第一ケース３１の両側壁３４に、両側枠５３、５３の先端に連結枠５４を設けたコ字枠状の第一ロック部５１を突設している一方、第二ケース３２の両側壁４４に第一ロック部５１が挿入される挿入部５５とロック爪５６とからなる第二ロック部５２を設け、ロック爪５６の係止面５８を傾斜面としてロック爪５６の先端側から基端側に向けて爪を深くし、かつ、挿入部５５の両側内面５５ｂ、５５ｂまたは第一ロック部５１の両側枠外面５３ａ、５３ａのいずれか一方をＶ形状に突出する傾斜面とし、第一ロック部５１の連結枠５４の内面を第二ロック部５２のロック爪５６の傾斜した係止面５８に接触させると共に、第一ロック部５１の両側枠外面５３ａ、５３ａと第二ロック部５２の挿入部５５の両側内面５５ｂ、５５ｂとをＶ形状傾斜面の頂点位置５７で接触させる。【選択図】図３
2010178474.tif 000002
【特許請求の範囲】
【請求項１】
共通入力部に複数の出力部がそれぞれ溶断部を介して並列に連結されたヒュージブルリンク一体型のバスバーを、周壁に設けたロック部で結合する第一ケースと第二ケース内に収容している電気部品であり、
前記第一ケースの周壁から第二ケース側に向けて、Ｘ方向に立設する両側枠の先端にＹ方向に延在する連結枠を設けたコ字枠状の第一ロック部を突設している一方、前記第二ケースの周壁に前記第一ロック部が挿入される挿入部と、該挿入部内に設けられ前記第一ロック部の前記連結枠に係止されるロック爪とからなる第二ロック部を設け、該ロック爪の係止面を傾斜面とし、かつ、前記挿入部の両側内面または前記第一ロック部の両側枠の外面のいずれか一方をＶ形状に突出する傾斜面とし、
前記第一ロック部と前記第二ロック部とが係止された状態で、前記第一ロック部の連結枠の内面を第二ロック部のロック爪の傾斜面に接触させると共に、前記第一ロック部の両側枠の外面と第二ロック部の挿入部の両側内面とを前記Ｖ形状の傾斜面の頂点位置で接触させ、前記第一ロック部と第二ロック部とをＸ方向およびＹ方向においてガタ付きを発生させない構成としていることを特徴とする電気部品。
【請求項２】
前記第一ケースの周壁と第二ケースの周壁とは少なくとも両側壁において、前記第一ロック部と第二ロック部が係止されることによって同一平面で連続して位置し、かつ、前記第一ロック部の外面も前記同一平面上に隣接して配置される請求項１に記載の電気部品。
【発明の詳細な説明】
【技術分野】
【０００１】
本発明は、電気部品に関し、詳しくは、互いにロック結合する第一ケースと第二ケースの内部にヒュージブルリンク一体型のバスバーを収容した電気部品に関するものにおいて、第一、第二ケース間のガタつきを防止するものである。
【背景技術】
【０００２】
近年、ヒュージブルリンク一体型のバスバーが車両用電気接続箱等で用いられている。このバスバーは、入力部と複数の溶断部および出力部とを導電性金属板から一体に形成しているものであり、専用ハウジングに収容されてヒュージブルリンクユニットを形成し、電気接続箱のケース内部に取り付けられる。
【０００３】
図７は、この種のヒュージブルリンクユニットの一例を示す。ヒュージブルリンクユニット１は、互いにロック結合する第一ケース３と第二ケース４の内部にヒュージブルリンク一体型バスバー２を収容している。該バスバー２は、入力端子部２ｂと、複数の細幅とした溶断部２ｃと、複数の出力端子部２ｄとを共通入力部２ａを介して一体的に形成している。この種のヒュージブルリンクユニットを、本出願人は特開２００７−２８８９３４号で提供している。
【０００４】
前記図７に示すヒュージブルリンクユニットの第一ケース３はバスバー２の裏面側を覆い、第二ケース４はバスバー２の表面側を覆い、第二ケース４の周壁からはコ字枠状のロック枠部５を第一ケース３側に向けて突設し、第一ケース３の周壁外面には、前記ロック枠部５が収まる挿入凹部６を設け、該挿入凹部６の底面に前記ロック枠部５に係止されるロック爪７を突設している。
【０００５】
しかしながら、このようなロック構造においては、前記ロック枠部５にロック爪７が係止された状態においてクリアランスをもつように設計されている。詳しくは、図８（Ａ）に示すように、ロック枠部５の両側枠外面５ａ、５ａと、前記挿入凹部６の両側内面６ａ、６ａとの間にクリアランスＣ１が設けられている。また、図８（Ｂ）に示すように、ロック枠部５の係止面５ｂとロック爪７の係止面７ａとの間にもクリアランスＣ２が設けられている。よって、このロック結合部は前後方向にも上下方向にもガタが生じるため、第一ケース３と第二ケース４がガタつくうえ、このガタつきに因る振動でバスバー２に負荷がかかり、損傷や接続不良が発生しやすい点に問題がある。さらに、公差を考慮すると、最悪公差の場合には設定以上のクリアランスが発生してガタつきも大きくなる。
【先行技術文献】
【特許文献】
【０００６】
【特許文献１】特開２００７−２８８９３４号公報
【発明の概要】
【発明が解決しようとする課題】
【０００７】
本発明は前記問題に鑑みてなされたもので、互いにロック結合した第一ケースと第二ケースの内部にヒュージブルリンク一体型バスバーを収容した電気部品において、前記第一ケースと第二ケースのロック結合部のガタつきをなくし、このガタつきに起因するバスバーの損傷や接続不良を防ぐことを課題としている。
【課題を解決するための手段】
【０００８】
前記課題を解決するために、本発明は、共通入力部に複数の出力部がそれぞれ溶断部を介して並列に連結されたヒュージブルリンク一体型のバスバーを、周壁に設けたロック部で結合する第一ケースと第二ケース内に収容している電気部品であり、
前記第一ケースの周壁から第二ケース側に向けて、Ｘ方向に立設する両側枠の先端にＹ方向に延在する連結枠を設けたコ字枠状の第一ロック部を突設している一方、前記第二ケースの周壁に前記第一ロック部が挿入される挿入部と、該挿入部内に設けられ前記第一ロック部の前記連結枠に係止されるロック爪とからなる第二ロック部を設け、該ロック爪の係止面を傾斜面とし、かつ、前記挿入部の両側内面または前記第一ロック部の両側枠の外面のいずれか一方をＶ形状に突出する傾斜面とし、
前記第一ロック部と前記第二ロック部とが係止された状態で、前記第一ロック部の連結枠の内面を第二ロック部のロック爪の傾斜面に接触させると共に、前記第一ロック部の両側枠の外面と第二ロック部の挿入部の両側内面とを前記Ｖ形状の傾斜面の頂点位置で接触させ、前記第一ロック部と第二ロック部とをＸ方向およびＹ方向においてガタ付きを発生させない構成としていることを特徴とする電気部品を提供している。
【０００９】
このように、前記第二ロック部のロック爪を傾斜面とすることにより、第一ロック部と第二ロック部間にできるＸ方向のクリアランスを埋めることができる。また、第一ロック部の両側枠の外面または第二ロック部の挿入部の両側内面を前記Ｖ形状に突出させることにより、第一ロック部と第二ロック部間にできるＹ方向のクリアランスも埋めることができる。よって、第一ロック部と第二ロック部をＸ方向にもＹ方向にもガタつかせることなくロック結合でき、第一ケースと第二ケースのガタつきも防止でき、このガタ付きに起因する振動で内部に収容したヒュージブルリンク一体型バスバーが損傷したり接続不良を発生することを防止できる。
【００１０】
さらに、ロック爪の係止面を傾斜面とし、該ロック爪の爪の深さを先端側から基端側に向かって漸増させているため、第一ロック部の連結枠の内面と第二ロック部のロック爪の係止面との間のクリアランスの公差は、前記ロック爪の係止面の傾斜によって十分に吸収することができる。
また、第一ロック部の両側枠の外面と第二ロック部の挿入部の両側内面との接触面積は少なく、前記Ｖ形状の傾斜面の頂点位置のみで線接触する構成であるため、第一ロック部の両側枠外面と第二ロック部の挿入部の両側内面との間のクリアランスの公差は、第一ロック部の両側枠の撓み変形を利用して十分に吸収が可能となる。
よって、クリアランスの公差を考慮しても、第一ロック部と第二ロック部のＸ方向およびＹ方向のガタつきを有効に防ぐことができる。
【００１１】
一方、第一ロック部と第二ロック部との間のクリアランスがなくなると、通常は第一、第二ロック部の係止作業がしづらくなると考えられる。しかしながら、前記第二ロック部のロック爪の係止面は傾斜面であり、該ロック爪の爪の深さは基端側で深く先端に向かって浅くなるため、該ロック爪の先端側から第一ロック部の連結枠を嵌め込むことにより、該ロック爪の係止面の所望の位置に第一ロック部の連結枠を接触させて無理なく係止することができる。また、第一ロック部の両側枠外面または第二ロック部の挿入部の両側内面もＶ形状の傾斜面としているため、該Ｖ形状の頂点位置を挟む一方の傾斜面がテーパー部として機能し、第一ロック部の第二ロック部への挿入係止を無理なく受け入れて案内することができる。よって、第一ロック部と第二ロック部との係止作業も容易に行うことができる。
【００１２】
前記第一ケースの周壁と第二ケースの周壁とは少なくとも両側壁において、前記第一ロック部と第二ロック部が係止されることによって同一平面で連続して位置し、かつ、前記第一ロック部の外面も前記同一平面上に隣接して配置されることが好ましい。
これにより、第一ロック部は、第一ケースおよび第二ケースの両側壁の外面から外方に突出しないため、該第一ロック部が周辺部品等に引っ掛かることを防ぎ、第一ロック部と第二ロック部との結合が解除される不具合を防止できる。
【発明の効果】
【００１３】
上述したように、本発明によれば、第一ケースに形成したコ字枠状の第一ロック部の連結枠の内面と、第二ケースに形成した第二ロック部のロック爪の係止面との間のＸ方向のクリアランスを、前記ロック爪の係止面を傾斜状に突出させて前記第一ロック部の連結枠の内面と接触させることにより埋めることができる。また、前記第一ロック部の両側枠の外面と、前記第二ロック部の挿入部の両側内面との間のＹ方向のクリアランスは、対向するこれらの面の一方をＶ形状に突出させ、該Ｖ形状の頂点位置で互いに接触させることにより埋めることができる。よって、第一ロック部と第二ロック部のＸ方向およびＹ方向のガタつきをなくすことができるため、第一ケースと第二ケースのガタつきも防止できるうえ、このガタつきに起因する振動によってケース内に収容したバスバーに負荷がかかり損傷や接続不良が発生することも有効に防止できる。
【００１４】
さらに、第二ロック部のロック爪の先端側から基端側に向かって爪の深さが漸増するように該ロック爪の係止面を傾斜させているため、第一ロック部と第二ロック部のＸ方向のクリアランスの公差はこの傾斜面によって吸収することができる。また、第一ロック部の両側枠外面と第二ロック部の挿入部の両側内面とは、前記Ｖ形状の頂点位置のみで接触し、接触面積が小さいため、第一ロック部と第二ロック部のＹ方向のクリアランスの公差は第一ロック部の両側枠の撓み変形を利用して吸収することができる。よって、クリアランスの公差を考慮しても、第一ロック部と第二ロック部のガタつきを有効に防止することができる
【図面の簡単な説明】
【００１５】
【図１】本発明の実施形態に係るヒュージブルリンクユニットの分解斜視図である。
【図２】図１に示す専用ハウジングのロック結合前の第一ロック部と第二ロック部とを示す拡大図、（Ａ）は斜視図、（Ｂ）は側面図、（Ｃ）は（Ｂ）のＣ−Ｃ線断面図である。
【図３】第一ロック部と第二ロック部を結合した状態を示す拡大図であり、（Ａ）は斜視図、（Ｂ）は側面図、（Ｃ）は（Ｂ）のＣ−Ｃ線断面図である。
【図４】第一ケースと第二ケースをロック結合した状態のヒュージブルリンクユニットを示し、（Ａ）は正面図、（Ｂ）は側面図である。
【図５】実施形態の変形例１を示す要部拡大側面図である。
【図６】実施形態の変形例２を示す要部拡大側面図である。
【図７】従来例を示す分解斜視図である。
【図８】（Ａ）（Ｂ）は、従来例のロック結合部の問題点を示す図である。
【発明を実施するための形態】
【００１６】
以下、本発明の実施形態を図面を参照して説明する。
本発明の電気部品は、図１乃至図４に示すヒュージブルリンクユニット１０からなり、自動車のエンジンルームに搭載される電気接続箱（図示せず）に収容固定されるものである。
ヒュージブルリンクユニット１０は、図１に示すように、ヒュージブルリンク一体型バスバー１１と、該バスバー１１を垂直方向に収容する樹脂製の専用ハウジング３０とからなる。
【００１７】
前記バスバー１１は、図１に示すように、１枚の導電性金属板を打抜加工して形成している。詳細には、バスバー１１の上側部を横長の共通入力部１２とし、該共通入力部１２の左右一方側をバッテリ系入力部１２Ａとし、他方側をオルタネータ系入力部１２Ｂとし、該バッテリ系入力部１２Ａとオルタネータ系入力部１２Ｂとを、細幅のＳ字状とした１本の第二溶断部１７を介して連続している。
【００１８】
バッテリ系入力部１２Ａの上端からは、バッテリと接続するバッテリ用端子部１３を水平方向に屈曲させて突設していると共に、該バッテリ系入力部１２Ａの下端からは間隔をあけて複数の細幅のＳ字状とした第一溶断部１５Ａを突設し、該第一溶断部１５Ａの先端にバッテリ系回路と接続する出力端子部１６Ａを形成している。一方、前記オルタネータ系入力部１２Ｂの上端からは、オルタネータと接続するオルタネータ用端子部１４を前記バッテリ用端子部１３と同一方向に突設していると共に、下端からは、間隔をあけて複数の細幅のＳ字状とした第一溶断部１５Ｂを突設し、該第一溶断部１５Ｂの先端にオルタネータ系回路と接続する出力端子部１６Ｂを形成している。
【００１９】
前記バッテリ用端子部１３とオルタネータ用端子部１４にはそれぞれボルト穴１８を穿設し、バッテリに接続している電源線端末（図示せず）をボルト締めにより接続する。
前記出力端子部１６Ｂにもボルト穴１９を穿設しており、オルタネータ等の電装品に接続されている電線端末（図示せず）をボルト締めにより接続する。前記出力端子部１６Ａには、その他の電装品に接続される電線端末（図示せず）を接続する。
【００２０】
前記出力端子部１６Ａ、１６Ｂの上側部には、それぞれ複数のクリップ穴２０を穿設している。前記共通入力部１２の上側部には、横方向に間隔をあけて複数のクリップ穴２１を穿設している。
【００２１】
前記専用ハウジング３０は、図１に示すように、前記バスバー１１の裏面側を覆う第一ケース３１と、表面側を覆う第二ケース３２とからなり、いずれもポリプロピレン製の樹脂成形品からなる。
前記第一ケース３１は、バスバー１１の裏面と対向する裏壁３３と、該裏壁３３の周縁より立設した両側壁３４、上壁３５および下壁３６を備えている。
【００２２】
前記裏壁３３の内面側には、バスバー１１の前記第一溶断部１５Ａ、１５Ｂと対向する位置に第一凹部３７を、前記第二溶断部１７と対向する位置に第二凹部３８を形成するとともに、第一凹部３７間には仕切壁３９を突設している。
前記裏壁３３の下側部の内面には、バスバー１１の前記出力端子部１６Ａ、１６Ｂの上側部を収容する第３凹部４０を形成し、該第３凹部４０は前記下壁３６を貫通して下面側に開口している。各第３凹部４０からは、出力端子部１６Ａ、１６Ｂの前記クリップ穴２０に挿入係止される複数のクリップ４１を突設している。
また、裏壁３３の上側部の内面には、バスバー１１の共通入力部１２の前記クリップ穴２１に挿入係止される複数のクリップ４２を突設している。
【００２３】
前記第二ケース３２は、バスバー１１の表面と対向する表壁４３と、該表壁４３の周縁より内面側に突設した両側壁４４、上壁４５および下壁４６を備えている。
【００２４】
前記表壁４３には、バスバー１１の前記第一溶断部１５Ａ、１５Ｂおよび第二溶断部１７と対向する位置にそれぞれ開口部４７を設け、該開口部４７を通して各溶断部１５Ａ、１５Ｂ、１７の溶断状態を外部から目視できるようにしている。
また、前記上壁４５の外面には、前記バッテリ用端子部１３とオルタネータ用端子部１４とを外部へと突出させる凹部４８を形成している。
【００２５】
前記第一ケース３１と第二ケース３２とは、第一ケース３１の両側壁３４に形成した第一ロック部５１と、第二ケース３２の両側壁４４に形成した第二ロック部５２とで互いにロック結合される。
このロック結合状態において、前記バスバー１１は第一ケース３１と第二ケース３２とで表裏両面から挟持され、かつ、図４（Ａ）（Ｂ）に示すように、バッテリ端子部１３とオルタネータ端子部１４は第二ケース３２の前記凹部４８と第一ケース３１の前記上壁３５との隙間から外部へ水平に突出し、各出力端子部１６Ａ、１６Ｂは、第一ケース３１の第３凹部４０と第二ケース３２の下壁４６との隙間から下方に突出する。また、第一ケース３１の両側壁３４と第二ケース３２の両側壁４４は、図３（Ａ）にも示すように同一平面上で連続する。
【００２６】
前記第一ロック部５１は、図２（Ａ）（Ｂ）に示すように、第一ケース３１の両側壁３４から第二ケース３２に向かってＸ方向に立設する両側枠５３、５３の先端を、Ｙ方向に延在する連結枠５４で連結したコ字枠状よりなる。該第一ロック部５１の外周面の形状は、前記両側枠５３、５３の外面５３ａ、５３ａを互いに近接方向に僅かに傾斜させて台形状としている。
【００２７】
前記第二ロック部５２は、図２（Ａ）（Ｂ）に示すように、第二ケース３２の両側壁４４の外面に凹設した前記第一ロック部が挿入される挿入部５５と、該挿入部５５の底面５５ａより突設したロック爪５６とからなる。該挿入部５５の深さは、前記第一ロック部５１の両側枠５３、５３の厚みと同一寸法としている。
【００２８】
前記第二ロック部５２の挿入部５５の両側内面５５ｂ、５５ｂは、互いに近接方向にＶ形状に突出させた傾斜面としている。詳しくは、前記両側内面５５ｂ、５５ｂは、前記第一ロック部５１の挿入方向Ａの前後両端からＶ形状の頂点位置５７にかけて突出方向に傾斜させており、該頂点位置５７は、両側内面５５ｂ、５５ｂの前記前後方向の中間位置よりも前方寄りの位置に設定している。前記傾斜面の傾斜角度は、第一ロック部５１の前記両側枠外面５３ａ、５３ａの傾斜角度よりも大としている。
【００２９】
前記第二ロック部５２の前記ロック爪５６の係止面５８は、図２（Ｃ）に示すように、ロック爪５６の先端側５６ａから基端側５６ｂに向けて爪の深さが漸増するように傾斜面としている。
前記ロック爪５６の先端側５６ａを挟んで係止面５８とは反対側にテーパ面５６ｃを設けており、第一ロック部５１の連結枠５４がスムーズに先端側５６ａへ案内されるようになっている。係止面５８はテーパ面５６ｃより急な傾斜となっている。
【００３０】
第一ケース３１の裏壁３３の下側部内面には、図１に示すように、コ字枠形状の第一補助ロック部７１を突設しており、第二ケース３２の表壁４３の内面側からは、前記第一補助ロック部７１と対向する位置にロック爪からなる第二補助ロック部７２を突設しており、前記第一ロック部５１と第二ロック部５２とをロック係止したときに、前記第一補助ロック部７１と第二補助ロック部７２もロック係止される構成としている。
【００３１】
前記構成のヒュージブルリンクユニット１０は、第一ケース３１の第一ロック部５１と第二ケース３２の第二ロック部５２とを係止させたとき、図３（Ａ）（Ｂ）に示すように、第一ロック部５１の両側枠５３、５３の外面５３ａ、５３ａに、第二ロック部５２の挿入部５５の両側内面５５ｂ、５５ｂの前記Ｖ形状の頂点位置５７が接触する。かつ、図３（Ｃ）に示すように、第一ロック部５１の連結枠５４の内面５４ａと、第二ロック部５２のロック爪５６の前記傾斜面からなる係止面５８とが接触する。従って、第一ロック部５１の連結枠５４の内面５４ａと第二ロック部５２のロック爪５６の係止面５８との間のＸ方向のクリアランスと、第一ロック部５１の両側枠外面５３ａ、５３ａと第二ロック部５２の挿入部５５の両側内面５５ｂ、５５ｂとの間のＹ方向のクリアランスとを、前記各接触によって埋めることができるため、第一ロック部５１と第二ロック部５２のガタ付きをＸ方向およびＹ方向の双方において無くすことができる。
さらに、これによって第一ケース３１と第二ケース３２間のガタ付きも防止できるため、第一ケース３１と第二ケース３２内に収容した前記バスバー１１が、このガタ付きに起因する振動によって負荷をうけ、損傷や接続不良を発生することを防止できる。
【００３２】
また、第二ロック部５２のロック爪５６の係止面５８を前記傾斜面としていることにより、第一ロック部５１と第二ロック部５２とのＸ方向のクリアランスの公差はこの傾斜部分で吸収することができる。
さらに、前記第二ロック部５２の挿入部５５の両側内面５５ｂ、５５ｂをＶ形状の傾斜面としているため、該両側内面５５ｂ、５５ｂと第一ロック部５１の両側枠外面５３ａ、５３ａとの接触箇所は前記Ｖ形状の傾斜面の頂点位置５７のみとなり、接触面積を小さくすることができる。これにより、第一ロック部５１と第二ロック部５２との前記Ｙ方向のクリアランスの公差は、第一ロック部５１の両側枠５３、５３の撓み変形を利用して吸収することが可能となる。
よって、前記クリアランスの公差を考慮しても、第一ロック部５１と第二ロック部５２とをＸ方向およびＹ方向の双方においてガタつきなく結合させることができる。
【００３３】
また、第二ロック部５２のロック爪５６の係止面５８を、該ロック爪５６の基端側５６ｂから先端側５６ａに向けて爪の深さが浅くなるように傾斜させているため、該ロック爪５６の先端側５６ａから第一ロック部５１を無理なく嵌めこんで、所望の深さの接触位置で係止することができる。
さらに、第二ロック部５２の挿入部５５の両側内面５５ｂ、５５ｂをＶ形状の傾斜面としているため、頂点位置５７を挟む一方側の傾斜面５９は第一ロック部５１の挿入を受け入れるテーパー部として機能することができる。よって、第一ロック部５１と第二ロック部５２との係止作業を容易に行うことができる。
【００３４】
また、前記第一ロック部５１の両側枠５３、５３の厚みと第二ロック部５２の挿入部５５の深さとを同一寸法としているため、第一ロック部５１と第二ロック部５２とを係止した状態において、図３（Ａ）に示すように、第一ロック部５１の外面は第二ケース３２の両側壁４４の外面と同一平面上に隣接して配置される。これにより、第一ロック部５１はハウジング３０の周壁から突出しないため、該第一ロック部５１が周辺部品に引っ掛かるなどしてロック解除してしまうことを防止できる。
【００３５】
なお、第二ロック部５２の挿入部５５の両側内面５５ｂ、５５ｂは、図５に示す変形例１のように、第一ロック部５１の挿入方向Ａの後端から頂点位置５７までは互いに近接方向に突出する傾斜面５９とし、該頂点位置５７から前端までは水平面６０としてもよい。
【００３６】
また、図６に示す変形例２のように、第二ロック部５２の挿入部５５の両側内面５５ｂ、５５ｂは略水平面とし、第一ロック部５１の両側枠５３、５３の外面５３ａ、５３ａをＶ形状に突出させた傾斜面として、第一ロック部５１と第二ロック部５２を係止させた状態において、前記傾斜面の頂点位置６１を第二ロック部５２の挿入部５５の両側内面５５ｂ、５５ｂに接触させる構成としてもよい。
【符号の説明】
【００３７】
１０  ヒュージブルリンクユニット（電気部品）
１１  バスバー
１２  共通入力部
１５Ａ、１５Ｂ  （第一）溶断部
１６Ａ、１６Ｂ  出力端子部
３０  専用ハウジング
３１  第一ケース
３２  第二ケース
５１  第一ロック部
５２  第二ロック部
５３  両側枠
５３ａ  両側枠外面
５４  連結枠
５５  挿入部
５５ｂ  両側内面
５６  ロック爪
【図１】
2010178474.tif 000003
【図２】
2010178474.tif 000004
【図３】
2010178474.tif 000005
【図４】
2010178474.tif 000006
【図５】
2010178474.tif 000007
【図６】
2010178474.tif 000008
【図７】
2010178474.tif 000009
【図８】
2010178474.tif 000010